(57)【要約】      （修正有）【課題】垂直方向に振動し、且つ、薄型化設計を達成するマグネット発振器を提供する。【解決手段】マグネット発振器は、第一磁性部Ｍ１及び第二磁性部Ｍ２を備え、第一磁性部Ｍ１は内側プレート２１１、第一マグネット２２１及び第二マグネット２２２を含む。第一マグネット２２１と第二マグネット２２２は内側プレート２１１を挟んで設置される。第二磁性部Ｍ２は、コイル２３及びラッパー（ｗｒａｐｐｅｒ）２４を含み、コイル２３は第一磁性部Ｍ１を取り囲む。ラッパー２４は、コイル２３を包み、内側プレート２１１に対応する段差Ｇを有する。このうち、第一磁性部Ｍ１と第二磁性部Ｍ２の間にはスペースを有し、コイル２３中に電流が流れる時、第一磁性部Ｍ１と第二磁性部Ｍ２の間に軸の方向ａに相対運動が生じる。【選択図】図３Ａ
2011055701.tif 000002
【特許請求の範囲】
【請求項１】
内側プレートと、第一マグネットと、前記第一マグネットとの間に前記内側プレートを挟んで設置される第二マグネットとを含む第一磁性部と、
前記第一磁性部を取り囲むコイルと、前記コイルを覆って、前記内側プレートに対応する段差を有するラッパー（ｗｒａｐｐｅｒ）とを含む第二磁性部とを備え、
前記第一磁性部と前記第二磁性部の間にはスペースを有して、前記コイル中に電流が流れると、前記第一磁性部と前記第二磁性部間に軸の方向に相対運動が発生することを特徴とするマグネット発振器。
【請求項２】
前記第一マグネットと前記第二マグネットの軸の方向の磁性は互いに反発し合うよう配列されることを特徴とする請求項１に記載のマグネット発振器。
【請求項３】
前記コイル中に電流が流れる時、前記第二磁性部は固定状態であり、前記第一磁性部は前記第二磁性部に対して軸の方向に相対運動を発生させるか、または、前記第一磁性部は固定状態にあり、前記第二磁性部は前記第一磁性部に対して軸の方向に相対運動を発生させることを特徴とする請求項１に記載のマグネット発振器。
【請求項４】
前記第一磁性部はさらに、一対の外側プレートを備え、それぞれ前記第一マグネット及び前記第二マグネットの、前記内側プレートとは逆側に設置されることを特徴とする請求項１に記載のマグネット発振器。
【請求項５】
第一マグネットと、第二マグネットと、それぞれ前記第一マグネットと前記第二マグネットの外側に、前記第一マグネットと前記第二マグネットを挟んで設置される外側プレートとを含む第一磁性部と、
前記第一磁性部を取り囲むコイルと、前記コイルを覆って、前記第一磁性部の中央に対応する段差を有するラッパー（ｗｒａｐｐｅｒ）とを含む第二磁性部とを備え、
前記第一磁性部と前記第二磁性部の間にはスペースを有して、前記コイル中に電流が流れると、前記第一磁性部と前記第二磁性部間に軸の方向に相対運動が発生することを特徴とするマグネット発振器。
【請求項６】
前記第一マグネットと前記第二マグネットの軸の方向の磁性は互いに反発し合うよう配列されることを特徴とする請求項５に記載のマグネット発振器。
【請求項７】
さらに、複数のスプリングを備えて、それぞれ前記第一磁性部または前記第二磁性部の両端に設置されて、前記第一磁性部または前記第二磁性部が軸の方向に相対運動を発生させる時、元の位置に戻す作用を有することを特徴とする請求項１ないし請求項６のいずれかに記載のマグネット発振器。
【請求項８】
前記第一磁性部の両端と前記第二磁性部のスペースの距離は、前記第一磁性部中央と前記第二磁性部のスペースの距離より大きいことを特徴とする請求項１ないし請求項６のいずれかに記載のマグネット発振器。
【請求項９】
前記ラッパー（ｗｒａｐｐｅｒ）は、前記第一磁性部両端に対応して、それぞれ斜面または円弧面を有し、前記斜面または円弧面は、外側から内側に、前記第一磁性部中央に向かって傾斜することを特徴とする請求項１ないし請求項６のいずれかに記載のマグネット発振器。
【請求項１０】
前記ラッパーは、前記段差両側に、それぞれ前記第一磁性部に向かって延伸する突出部を有することを特徴とする請求項１ないし請求項６のいずれかに記載のマグネット発振器。
【請求項１１】
前記ラッパーの前記段差の距離は、前記第二磁性部中央と前記第一磁性部のスペースの距離より大きいことを特徴とする請求項１ないし請求項６のいずれかに記載のマグネット発振器。
【請求項１２】
前記第二磁性部はさらに、スペーサを備え、前記スペーサは前記ラッパー（ｗｒａｐｐｅｒ）内に設置されて、前記コイルを二つの部分に分割して、前記ラッパー（ｗｒａｐｐｅｒ）の前記段差中に突出することを特徴とする請求項１ないし請求項６のいずれかに記載のマグネット発振器。
【請求項１３】
前記内側プレート、前記ラッパー（ｗｒａｐｐｅｒ）、前記外側プレートまたは前記スペーサは、ヨークであることを特徴とする請求項１２に記載のマグネット発振器。
【請求項１４】
前記第一マグネットと前記第二マグネットの、前記内側プレートとの接触面はN極であることを特徴とする請求項１ないし請求項４のいずれかに記載のマグネット発振器。
【請求項１５】
前記第一マグネットと前記第二マグネットに発生する磁力線は、前記内側プレートから出て、内径から外径に、前記ラッパー（ｗｒａｐｐｅｒ）の前記段差の位置まで延伸することを特徴とする請求項１４のいずれかに記載のマグネット発振器。
【請求項１６】
前記第一マグネットと前記第二マグネットの、前記内側プレートとの接触面はＳ極であることを特徴とする請求項１ないし請求項４のいずれかに記載のマグネット発振器。
【請求項１７】
前記第一マグネットと前記第二マグネットに発生する磁力線は、前記ラッパー（ｗｒａｐｐｅｒ）の前記段差の位置から出て、外径から内径に、前記内側プレートまで延伸することを特徴とする請求項１６に記載のマグネット発振器。
【請求項１８】
前記第一マグネット、前記第二マグネット、前記内側プレートまたは前記外側プレートは、円盤状または多辺形盤状であることを特徴とする請求項１ないし請求項６のいずれかに記載のマグネット発振器。
【請求項１９】
前記ラッパー（ｗｒａｐｐｅｒ）は、中空のリング状で、前記第一磁性部を取り囲み、前記ラッパー（ｗｒａｐｐｅｒ）の軸の方向の断面は矩形、六辺形、多辺形、円形、楕円形または不規則形であり、その内部には空間を有して、前記コイルを収納することを特徴とする請求項１ないし請求項６のいずれかに記載のマグネット発振器。
【請求項２０】
前記第二磁性部の軸の方向の長さは、前記第一磁性部の軸の方向の長さに比べて大きいか、等しいか、小さいことを特徴とする請求項１ないし請求項６のいずれかに記載のマグネット発振器。
【発明の詳細な説明】
【技術分野】
【０００１】
本発明はマグネット発振器に関し、特に、垂直方向に振動し且つ薄型化を達成したマグネット発振器に関する。
【背景技術】
【０００２】
従来の発振器は、主に重心の偏ったロータから構成される。例えば、米国特許第５９４２８３３号の例である。図１Ａを参照しながら説明する。前記発振器はコイル１２、本体１０、固定部９等の素子からロータ部分が構成される。このロータは、回転軸８と比べると、重心が偏ったロータである。そして、マグネット５、軸受け４ａ及び４ｂ、ブラシ７ａ等の素子からステータ部分が構成される。電流がブラシ７ａからロータのコイル１２に伝達された時、電流がコイル１２に流れることで発生した磁場は、ステータのマグネット５に発生した磁場と排斥し合うため、この排斥の力によりロータを動かして、回転軸８を中心に回転する。ロータは重心の偏ったロータであるため、ロータが回転する時、ロータは質量のバランスが不均衡な離心力と振動が発生し、振動力は発振器では水平の方向に生じる。
【０００３】
しかしながら、このタイプの発振器は、モータによる起動を必要とし、一定の回転速度まで回転して初めて振動を感じる。同様に、電源が切断されても、ロータの慣性作用のために、ただちに運転及び振動状態を停止することができず、電源を切断した後も一定時間内は振動を感じる。このため、この種の発振器の振動は、電源または振動信号に対して遅延する現象が生じる。また、この種の発振器の振動力は、電子デバイスまたはＰＣＢ板に対して水平方向上に現れて、効果的な垂直方向振動を提供することができない。しかしながら、使用者にとっては垂直方向の振動の方がはっきりと感じやすい。
【０００４】
他の形式の発振器には垂直方向の振動を発生させる例がある。例えば、米国特許第６７７７８９５号の例である。図１Ｂを参照しながら説明する。外ヨーク４及びマグネット５から振動素子が構成され、マグネット５は中空のリング型をしており、その磁極方向は水平方向である。内部コイル２及び内ヨーク３はステータを構成し、電流が内部コイル２を流れた時、発生した磁力とマグネット５の磁極が反発し合うか、または、引き付け合う関係が生じる。このように、内部コイル２と内ヨーク３が構成するステータを動かして上下の振動を発生させる。
【０００５】
しかしながら、この設計にもやはり欠点があり、外ヨーク４及びマグネット５から成る振動素子は、垂直方向の上下振動を発生させるため、この振動素子に対して接触または挟むことができず、カバー７を追加することで、振動素子が接触により振動を妨害されるのを回避する必要がある。このため、発振器全体のサイズが制限を受けることになり、薄型化の設計改良を行う際に不利となる。また、この中空のリング型のマグネット５の磁極方向は水平方向であり、サイズが小さすぎると、量産の場合制限を受け、同様に薄型化の設計改良を行う際に不利となる。
【先行技術文献】
【特許文献】
【０００６】
【特許文献１】米国特許第５９４２８３３号公報
【特許文献２】米国特許第６７７７８９５号公報
【発明の概要】
【発明が解決しようとする課題】
【０００７】
したがって、本発明は、垂直方向に振動し、且つ、薄型化設計を達成するマグネット発振器を提供することを課題とする。
【課題を解決するための手段】
【０００８】
上記課題を解決するために、本発明は、垂直方向に振動し、且つ、薄型化設計を達成するマグネット発振器を提供することを目的とする。
【０００９】
上記目的を達成するために、本発明のマグネット発振器は、第一磁性部及び第二磁性部を備える。前記第一磁性部は、内側プレート、第一マグネット及び第二マグネットを含む。前記第一マグネットと前記第二マグネットの軸の方向における磁性は互いに反発し合うよう配列される。前記第一マグネットと前記第二マグネットは、前記内側プレートを挟んで設置される。前記第二磁性部は、コイル及びラッパー（ｗｒａｐｐｅｒ）を含み、前記コイルは、前記第一磁性部の周囲を囲む。前記ラッパー（ｗｒａｐｐｅｒ）は、前記コイルを覆い、前記内側プレートに対応する段差を有する。このうち、前記第一磁性部と前記第二磁性部の間にはスペースを有する。前記コイル中に電流が流れると、前記第一磁性部と前記第二磁性部間に軸の方向に相対運動が生じる。
【００１０】
このうち、コイル中に電流が流れる時、前記第二磁性部は固定状態にあり、前記第一磁性部は、前記第二磁性部に対して軸の向きに相対運動を発生させる。または、前記第一磁性部は固定状態にあり、前記第二磁性部は前記第一磁性部に対して軸の向きに相対運動を発生させる。
【００１１】
前記第一磁性部はさらに、一対の外側プレートを含み、それぞれ前記第一マグネット及び前記第二マグネットの、前記内側プレートとは逆側に設置される。前記マグネット発振器はさらに、複数個のスプリングを含み、それぞれ第一磁性部または第二磁性部の両端に設置されて、前記第一磁性部または前記第二磁性部の軸の方向に相対運動する時に、元の位置に戻す作用を有する。
【００１２】
前記第一磁性部の両端と前記第二磁性部のスペースの距離は、前記第一磁性部中央と前記第二磁性部のスペースの距離よりやや大きいことを理想とする。前記ラッパー（ｗｒａｐｐｅｒ）は、前記第一磁性部両端に対応して、それぞれ斜面または円弧面を有する。前記斜面または前記円弧面は、外側から内側に、前記第一磁性部中央に向かって傾斜する。前記ラッパー（ｗｒａｐｐｅｒ）は、前記段差両側に、前記第一磁性部に向かって延伸した突出部を有する。
【００１３】
前記カバーの段差距離は、前記第二磁性部中央と前記第一磁性部のスペースの距離より大きい。
【００１４】
前記第二磁性部はさらにスペーサを含み、前記ラッパー（ｗｒａｐｐｅｒ）内に設置されて、前記コイルを二つの部分に分割して、前記カバーの段差中に突出する。
【００１５】
前記第一マグネット及び前記第二マグネットの、前記内側プレートとの接触面がＮ極である時、前記第一マグネットと前記第二マグネットが発生させる磁力線は、前記内側プレートから出て、内径から外径に向かって前記カバーの段差の位置にまで延伸する。前記第一マグネット及び前記第二マグネットの、前記内側プレートとの接触面がＳ極である時、前記第一マグネットと前記第二マグネットが発生させる磁力線は、前記ラッパー（ｗｒａｐｐｅｒ）の段差の位置から出て、外径から内径に向かって前記内側プレートに延伸する。
【００１６】
前記ラッパー（ｗｒａｐｐｅｒ）は中空のリング状で、前記一磁性部を取り囲むように設置される。このうち、中空の内部は前記コイルを収納する。前記ラッパー（ｗｒａｐｐｅｒ）の軸の方向の断面は、矩形、六辺形、多辺形、円形、楕円形または不規則形を理想とする。
【００１７】
前記内側プレート、前記ラッパー（ｗｒａｐｐｅｒ）、前記スペーサまたは前記外側プレートは、ヨークを理想とし、前記第一マグネット、前記第二マグネット、前記内側プレートまたは前記外側プレートは、円盤状または多辺形の盤状を理想とする。前記第二磁性部の軸の方向の長さは、前記第一磁性部の軸の方向の長さより大きいか、等しいか、または、小さい。
【００１８】
さらに、前記目的を達成するために、本発明のマグネット発振器は、第一磁性部及び第二磁性部を備えて、前記第一磁性部は、一対の外側プレート、第一マグネット及び第二マグネットを含む。前記第一マグネットと前記第二マグネットの軸の方向の磁性は互いに反発し合う配列となっており、前記一対の外側プレートは、それぞれ前記第一マグネットと前記第二マグネットの外側に設置される。前記第一マグネットと前記第二マグネットは、この中に挟まれて設置される。前記第二磁性部は、コイル及びラッパー（ｗｒａｐｐｅｒ）を備える。前記コイルは、第一磁性部を取り囲む。前記ラッパー（ｗｒａｐｐｅｒ）は、前記コイルを覆い、前記内側プレートに対応する段差を有する。このうち、前記第一磁性部と前記第二磁性部の間にはスペースを有し、前記コイル中を電流が流れる時、前記第一磁性部と前記第二磁性部の間に軸の方向に相対運動が生じる。
【発明の効果】
【００１９】
本発明のマグネット発振器は、垂直方向の振動であり、使用者がはっきりと感じられる電子デバイスの振動である。さらに、本発明のマグネット発振器は、カバーの制限を受けずに、薄形化の設計が行なえる。本発明の好適な実施例において使用されるマグネットは扁平状であり、その磁極方向は垂直方向である。磁極方向に対して水平方向のリング型のマグネットは、生産の過程が比較的簡単である。さらに、本発明のコイルは、電流が流れると、ただちにマグネットに対して互いに反発し合うか、または引き合う力を生じさせて、振動を発生させ、電源または振動信号に対する反応は同時である。また、本発明は、異なる電源または振動信号を入力して、異なる振動形態を発生させることが可能であるため、各種の異なる振動のニーズに対応することが可能である。
【００２０】
この発明の上述の目的、その他の目的、特徴および利点は、図面を参照して行う以下の発明を実施するための形態の説明から一層明らかとなろう。
【図面の簡単な説明】
【００２１】
【図１Ａ】従来の発振器を示した図である。
【図１Ｂ】従来の発振器を示した図である。
【図２】本発明のマグネット発振器の好適な実施例の断面図である。
【図３Ａ】本発明のマグネット発振器が外側プレートを備える好適な実施例の断面図である。
【図３Ｂ】図３Ａの第一マグネット及び第二マグネットの磁力線分布図である。
【図３Ｃ】図３Ａの第一マグネット及び第二マグネットの磁力線分布図である。
【図３Ｄ】図３Ａ中のコイルに電流が流れることで発生する磁力線の分布図である。
【図３Ｅ】図３Ａ中のコイルに電流が流れることで発生する磁力線の分布図である。
【図３Ｆ】本発明のマグネット発振器が外側プレートを備える好適な実施例の断面図である。
【図４】本発明のマグネット発振器のその他の好適な実施例図の断面図である。
【図５】本発明のマグネット発振器のその他の好適な実施例図の断面図である。
【図６】本発明のマグネット発振器のその他の好適な実施例図の断面図である。
【図７】本発明のマグネット発振器のその他の好適な実施例図の断面図である。
【図８】本発明のマグネット発振器のその他の好適な実施例図の断面図である。
【図９】本発明のマグネット発振器のその他の好適な実施例図の断面図である。
【発明を実施するための形態】
【００２２】
以下に、図を参照しながら、本発明の好適な実施例について説明する。
図２は、本発明のマグネット発振器の好適な実施例の断面図である。本発明のマグネット発振器は、第一磁性部Ｍ１及び第二磁性部Ｍ２を備える。前記第一磁性部Ｍ１は、内側プレート２１１、第一マグネット２２１及び第二マグネット２２２を含む。前記第一マグネット２２１及び前記第二マグネット２２２の軸の方向ａの磁性は互いに反発し合うよう配列される。前記第一マグネット２２１と前記第二マグネット２２２は、前記内側プレート２１１を挟んで設置される。前記第二磁性部Ｍ２は、コイル２３及びラッパー（ｗｒａｐｐｅｒ）２４を含む。前記コイル２３は前記第一磁性部Ｍ１を取り囲み、前記ラッパー２４は、前記内側プレート２１１に対応する段差Ｇを有する。このうち、前記第一磁性部Ｍ１及び前記第二磁性部Ｍ２の間にはスペースＩを有する。前記コイル２３中に電流が流れると、前記第一磁性部Ｍ１と前記第二磁性部Ｍ２の間に軸の方向ａに相対運動が発生する。本実施例において、前記第二磁性部Ｍ２は固定状態であり、前記第一磁性部Ｍ１は、前記第二磁性部Ｍ２に対して軸の方向ａに相対運動を生じさせる。しかしながら、実際には、第一磁性部Ｍ１は固定状態であり、第二磁性部Ｍ２は前記第一磁性部Ｍ１に対して軸の方向ａに相対運動を生じさせることも可能である。また、本実施例において、複数のスプリング２５を含み、それぞれ第一磁性部Ｍ１または第二磁性部Ｍ２の両端に設置されて、前記第一磁性部Ｍ１または前記第二磁性部Ｍ２の軸の方向ａに相対運動を行う時、元の位置に戻す作用を有する。
【００２３】
前記第一磁性部Ｍ１は、一対の外側プレート２１２を備える。図３Ａに示したように、それぞれ前記第一マグネット２２１及び前記第二マグネット２２２に設置されて、前記内側プレート２１１の他側に対応する。
【００２４】
前記ラッパー（ｗｒａｐｐｅｒ）２４は、中空のリング状を理想とし、前記第一磁性部Ｍ１を取り囲む。このうち、中空の内部は前記コイル２３を収納する。前記ラッパー（ｗｒａｐｐｅｒ）２４の軸の方向の断面は、矩形または六辺形を理想とする。図２および図３Ａに示したように、多辺形、円形、楕円形または不規則形も可能である。
【００２５】
前記第一マグネット２２１及び前記第二マグネット２２２の、前記内側プレート２１１との接触面がＮ極である時、図３Ｂに示したように、前記第一マグネット２２１に発生する磁力線Ｐ１と前記第二マグネット２２２に発生する磁力線Ｐ２は、前記内側プレート２１１から出て、内側から外側に向かって、径の方向ｒに前記ラッパー（ｗｒａｐｐｅｒ）２４の段差Ｇに延伸する。さらに、両端に向かって延伸してラッパー（ｗｒａｐｐｅｒ）２４に至る。ラッパー（ｗｒａｐｐｅｒ）２４の外側プレート２１２に近い外縁の位置で、外側プレート２１２に進入し、磁力線Ｐ１、Ｐ２はさらに、外側プレート２１２から中央に向かって、第一マグネット２２１、第二マグネット２２２を通って内側プレート２１１まで延伸する。
【００２６】
電流が時計回りの方向（上方から見て）にコイルを流れる時、図３Ｄに示したように、発生した磁力線Ｐ３はラッパー（ｗｒａｐｐｅｒ）２４内を回転し、回転した磁力線Ｐ３はラッパー（ｗｒａｐｐｅｒ）２４の上縁から中間の段差Ｇの位置まで来た時、磁力線Ｐ３は内側プレート２１１を経てラッパー（ｗｒａｐｐｅｒ）２４の下縁に進入して、全ての回路を形成する。この時、第一マグネット２２１に発生した磁力線Ｐ１とコイル２３の電流が発生させた磁力線Ｐ３は、ラッパー（ｗｒａｐｐｅｒ）２４中間の段差Ｇで遭遇し、互いに反発し合う力が生じる。第一磁性部を下に押すと同時に、第二マグネット２２２に発生した磁力線Ｐ２とコイル２３の電流により発生した磁力線Ｐ３は、ラッパー（ｗｒａｐｐｅｒ）２４中間の段差Ｇで遭遇し、互いに引き合う力が生じ、第一磁性部Ｍ１を下に押す。
【００２７】
同様に、電流が時計と逆の方向（上方から見て）に、コイルを流れる時、図３Ｅに示したように、第一マグネット２２１に発生した磁力線Ｐ１とコイル２３の電流が発生させた磁力線Ｐ４は、互いに引き合う力が生じて、第一磁性部を上に押す。そして、第二マグネット２２２に発生した磁力線Ｐ２とコイル２３の電流によって発生した磁力線Ｐ４は、互いに反発し合う力が生じて、第一磁性部Ｍ１を上に押す。
【００２８】
また、前記第一マグネット２２１及び前記第二マグネット２２２の、前記内側プレート２１１との接触面がＳ極である時、図３Ｃに示したように、前記第一マグネット２２１と前記第二マグネット２２２に発生した磁力線Ｐ１、Ｐ２は、前記ラッパー（ｗｒａｐｐｅｒ）２４の段差Ｇの位置で、外側から内側に向かって、径の方向ｒに延伸して、前記内側プレート２１１に至る。内側プレート２１１から両側に向かって第一マグネット２２１、第二マグネット２２２を通って、外側プレート２１２に進入し、外側プレート２１２の外縁からラッパー（ｗｒａｐｐｅｒ）２４に進入する。さらに、両側から延伸してラッパー（ｗｒａｐｐｅｒ）２４中央の段差Ｇの位置に至り、コイルの電流によって発生した磁力線との間で互いに引き合うか、反発し合う関係は、図３Ｂと同様であるため、ここでは再述しない。
【００２９】
このように、コイル２３を流れる電流の方向（時計回りまたは時計と逆回り）の変化によって、発生する磁力の方向を変化させることが可能であり、したがって、第一磁性部Ｍ１の移動方向も変更可能である。コイル２３を流れる電流の方向を切り替える速度を調節することで、第一磁性部Ｍ１の上下の振動の周波数を変化させることが可能である。そして、コイル２３を流れる電流の大きさを変更することで、第一磁性部Ｍ１の上下の振動の大きさを調節することが可能である。
【００３０】
また、前記第一磁性部Ｍ１両端と前記第二磁性部Ｍ２のスペースＩ１の距離は、前記第一磁性部Ｍ１中央と前記第二磁性部Ｍ２のスペースＩ２の距離より大きいことを理想とする。図３Ｆに示したように、前記ラッパー（ｗｒａｐｐｅｒ）２４の段差Ｇの距離は、前記第二磁性部Ｍ２中央と前記第一磁性部Ｍ１のスペースＩ２の距離より大きいことを理想とする。
【００３１】
図２または図３Ａに示したように、前記第二磁性部Ｍ２の軸の方向ａの長さは、第一磁性部Ｍ１の軸の方向ａの長さより大きい。図４に示したように、第一磁性部Ｍ１の軸の方向ａの長さより小さいことも可能である。第一磁性部Ｍ１の軸の方向ａの長さと等しいことも可能である。
【００３２】
前記ラッパー（ｗｒａｐｐｅｒ）２４は、前記第一磁性部Ｍ１両端に対応して、それぞれ斜面２４１を有する。図３Ａに示したように、前記斜面２４１は、外側から内側に、前記第一磁性部Ｍ１中央に向かって傾斜し、前記斜面２４１は、図６に示したように、円弧面２４３に変更することも可能である。
【００３３】
前記ラッパー（ｗｒａｐｐｅｒ）２４は、前記段差Ｇ両側において、図５に示したように、前記第一磁性部Ｍ１に向かって延伸する突出部２４２を有することも可能である。
【００３４】
前記第二磁性部Ｍ２は、さらに、スペーサ２６を備えることも可能である。図９に示したように、前記ラッパー（ｗｒａｐｐｅｒ）２４内に、コイル２３を２つの部分に分割してラッパー（ｗｒａｐｐｅｒ）２４の段差Ｇ中に突出する。
【００３５】
上述の、図３Ａのマグネット発振器は、図８に示したように、前記内側プレート２１１を除去することも可能である。
【００３６】
前記内側プレート２１１、前記ラッパー（ｗｒａｐｐｅｒ）２４、前記スペーサ２６または前記外側プレート２１２は、ヨークであることが理想であり、前記第一マグネット２２１、前記第二マグネット２２２、前記内側プレート２１１または前記外側プレート２１２は、円盤状または多辺形の盤状であることを理想とする。
【００３７】
このように、本発明のマグネット発振器は、垂直方向の振動であり、使用者がはっきりと感じられる電子デバイスの振動である。さらに、本発明のマグネット発振器は、カバーの制限を受けずに薄形化の設計が行なえる。本発明の好適な実施例において使用されるマグネットは扁平状であり、その磁極方向は垂直方向である。磁極方向に対して水平方向のリング型のマグネットは、生産の過程が比較的簡単である。さらに、本発明のコイルは、電流が流れると、ただちにマグネットに対して互いに反発し合うか、または引き合う力を生じさせて、振動を発生させ、電源または振動信号に対する反応は同時である。また、本発明は、異なる電源または振動信号を入力して、異なる振動形態を発生させることが可能であるため、各種の異なる振動のニーズに対応することが可能である。
【００３８】
以上、本発明の実施例を、図面を参照して詳述してきたが、具体的な構成は、これらの実施例に限られるものではなく、本発明の要旨を逸脱しない範囲の設計変更などがあっても、本発明に含まれる。
【符号の説明】
【００３９】
２１１  内側プレート
２１２  外側プレート
２２１  第一マグネット
２２２  第二マグネット
２３  コイル
２４  ラッパー（ｗｒａｐｐｅｒ）
２４１  斜面
２４２  突出部
２４３  円弧面
２５  スプリング
２６  スペーサ
ａ  軸の方向
ｒ  径の方向
Ｇ  段差
Ｉ、Ｉ１、Ｉ２  スペース
Ｍ１  第一磁性部
Ｍ２  第二磁性部
Ｐ１〜Ｐ４  磁力線
【図１Ａ】
2011055701.tif 000003
【図１Ｂ】
2011055701.tif 000004
【図２】
2011055701.tif 000005
【図３Ａ】
2011055701.tif 000006
【図３Ｂ】
2011055701.tif 000007
【図３Ｃ】
2011055701.tif 000008
【図３Ｄ】
2011055701.tif 000009
【図３Ｅ】
2011055701.tif 000010
【図３Ｆ】
2011055701.tif 000011
【図４】
2011055701.tif 000012
【図５】
2011055701.tif 000013
【図６】
2011055701.tif 000014
【図７】
2011055701.tif 000015
【図８】
2011055701.tif 000016
【図９】
2011055701.tif 000017